(57)【要約】【課題】  本発明による平行二軸ヒンジモジュールでは、構造が比較的簡単で製造しやすくしかも信頼性の高い小型ヒンジモジュールを提供することを課題とする。【解決手段】  本発明による平行二軸型ヒンジモジュールでは、互いに平行に配置された２つのヒンジ軸と、該二軸のそれぞれに連結され側面に突起を設けた１組のカムと、回動自在に支持しているスライダ軸を挟んで片側が前記突起と摺動自在に係合しもう一方の側において互いに回動自在に係合し合っている１組のスライダリンクとからなることを特徴とする。【選択図】図１
2008095935.tif 000002
【特許請求の範囲】
【請求項１】
互いに平行に配置された２つのヒンジ軸と、該二軸のそれぞれに連結され側面に突起を設けた１組のカムと、回動自在に支持しているスライダ軸を挟んで片側が前記突起と摺動自在に係合しもう一方の側において互いに回動自在に係合し合っている１組のスライダリンクとからなることを特徴とする平行二軸ヒンジモジュール。
【請求項２】
前記１組のスライダリンクが同一平面内にあり、スライダリンク同士の係合部が部分歯車であることを特徴とする請求項１記載の平行二軸ヒンジモジュール。
【請求項３】
前記１組のスライダリンクのそれぞれは片側にＵ字型凹部が形成されており、該凹部において前記それぞれの突起と係合していることを特徴とする請求項１または２記載の平行二軸ヒンジモジュール。
【請求項４】
前記１組のスライダリンクを隣接平行平面内に配置し、一方は一端部にリンク突起と反対側端部にＵ字型リンク凹部を有し、もう一方のスライダリンクは両端部にＵ字型凹部を有していて、両方のスライダリンクが前記リンク突起および前記リンク凹部において係合していることを特徴とする請求項１記載の平行二軸ヒンジモジュール。
【発明の詳細な説明】
【技術分野】
【０００１】  本発明は、携帯電話やノートブック型パソコン等の携帯機器に用いられる平行二軸微小ヒンジ用として好適なヒンジモジュールに関する。
【背景技術】
【０００２】  携帯電話機等の携帯機器においては、最近折り畳み型が主流である。この折り畳み式携帯電話においては、表示部と操作部とを回動可能に連結するためヒンジ装置が用いられている。ヒンジ装置には１軸型と２軸型がある。１軸型では、構造が単純になるという利点はあるが回動範囲が１６０度から１７０度に制限されるという欠点も有する。これに対して２軸型は、構造は若干複雑になるが表示部及び操作部がそれぞれの軸の周りに回動するため、開閉動作が全体の開閉角度の半分ですむという利点がある。【０００３】  一般的な２軸ヒンジ構造としては、例えば特許文献１の図６や特許文献２の図２に示されるように、ヒンジを構成する２軸それぞれに平歯車を設け、これらを噛み合わせることが行われている。しかしながら、このような単純な２軸ヒンジの場合、機器の大きさに比例して歯車が噛み合う距離が決定されてしまうため、歯車の直径がどうしても大きくなってしまうという問題があった。【０００４】  そこで最近では、４段歯車を用いた２軸ヒンジも提案されている。歯車を使用したヒンジの場合、ヒンジ軸に固定された歯車は回動方向を逆にしなければならないので、歯車数としては偶数が必須となる。このヒンジの場合、ヒンジ軸の各歯車は間に２個の歯車を挟んで連結されるため、径をそれほど大きくする必要がなくなり、ヒンジ自体を小型にできる。ただし、このような型のヒンジを携帯電話等の小型携帯機器に搭載しようとするとヒンジ外形を小さくする必要が生ずる。ヒンジ自体が小さい上、４段にして歯車径を小型化すると、ヒンジを回動するためには一定のトルクが必要となるため、歯面に加わる作用力が大きくなり強度を確保するには歯巾（歯車の厚み）を大きく取り強度に対し強くしなければならない。【０００５】
【特許文献１】特開２００５−２０７４６５号公報
【特許文献２】特開２００６−６４０００号公報
【発明の開示】
【発明が解決しようとする課題】
【０００６】  上記のような従来の問題点を解決するため、本発明による平行二軸ヒンジモジュールでは、構造が比較的簡単で製造しやすくしかも信頼性の高い小型ヒンジモジュールを提供することを課題とする。
【課題を解決するための手段】
【０００７】  上述の課題を解決するため本発明による平行二軸型ヒンジモジュールでは、互いに平行に配置された２つのヒンジ軸と、該二軸のそれぞれに連結され側面に突起を設けた１組のカムと、回動自在に支持しているスライダ軸を挟んで片側が前記突起と摺動自在に係合しもう一方の側において互いに回動自在に係合し合っている１組のスライダリンクとからなることを特徴とする。【０００８】  前記１組のスライダリンクが同一平面内にあり、スライダリンク同士の係合部が部分歯車であることが望ましい。【０００９】  また、前記１組のスライダリンクのそれぞれは片側にＵ字型凹部が形成されており、該凹部において前記それぞれの突起と係合していることが好適である。【００１０】  さらに、１組のスライダリンクを隣接平行平面内に配置し、一方は一端部にリンク突起と反対側端部にＵ字型リンク凹部を有し、もう一方のスライダリンクは両端部にＵ字型凹部を有していて、両方のスライダリンクが前記リンク突起および前記リンク凹部において係合させることもできる。
【発明の効果】
【００１１】  本発明による平行二軸ヒンジモジュールは構造が簡単で部品の製造が容易なため製造コストが安価で提供でき、また高い信頼性も確保できる。
【発明を実施するための最良の形態】
【実施例】
【００１２】  以下、実施例に基づいて本発明を説明する。図１は、本発明によるヒンジモジュールの第１の実施例要部を示す斜視図である。ヒンジ基体６上に平行に第１ヒンジ軸１２及び第２ヒンジ軸２２を設ける。図からわかるように、この実施例の場合はそれぞれのヒンジ軸を左右に分割してヒンジ基体に固定してある。（クリック機構側のヒンジ軸は図では隠れている。）これらヒンジ軸１２、２２の一方の側にはカム１３、２３を配して、それぞれのカム側面上に図２に明示したような突起１４、２４を形成してある。さらに一端部にＵ字型凹部を有し他端部に部分歯車９Ａ、９Ｂを形成した１組のスライダリンク１Ａ、１Ｂを、一方ではこの部分歯車同士が係合し、他方ではこれらの凹部内にそれぞれの突起１４、２４が収納されるように配置する。スライダリンク１Ａ、１Ｂのそれぞれは部分歯車の中心軸部に貫通穴を有し、スライダ軸２Ａ、２Ｂを嵌挿することにより回動自在に支持する。このスライダ軸２は、図４に示したように、スライダリンク１Ａ、１Ｂに隣接してスライダリンクが脱落するのを防止するために設けたスライダリンク保持板４に固定されている。スライダリンク保持板４は、下部においてＬ字状に曲げられ、スライダリンク保持板取付部４Ａにおいてネジ７によりヒンジ基体６に固定されている。また、第１ヒンジ軸１２からは本体取付部１１を引き出し、第２ヒンジ軸２２からは本体取付部２１を引き出して、これらの本体取付部に携帯電話表示部及び操作部を接続することにより、携帯電話本体が構成される。【００１３】  次に、本実施例の動作について説明する。図２に本実施例によるヒンジモジュールを開いた状態の断面図を示す。第１ヒンジ軸１１に接続された携帯電話表示部を閉じようとすると、その応力は第１ヒンジ軸を通してカム１３に伝達される。そこで、カム１３は左方向に回転しようとする。このカム１３には突起１４を通してスライダリンク板１Ａが係合しているため、カム１３が回転すると突起１４が同時に回転し、Ｕ字型凹部５Ａ内で摺動しながらこのＵ字型凹部５Ａを上方へ持ち上げる。スライダリンク１Ａはスライダ軸２Ａに対して回動自在に固定されているため、このスライダ軸を中心として回動し歯車部を下方へ下げる。スライダリンク１Ｂはこの歯車部を通してスライダリンク１Ａに係合しているため、対称的な動きを強いられ、結果として突起２４を上方へ押し上げることになり、これによって第２ヒンジ軸２１に接続された操作部も、表示部と対称的な動きとなるため、最終的に表示部と操作部が同じ角度だけ回動して携帯電話が折りたたまれることになる。【００１４】  図３には、本実施例によるヒンジモジュールが閉じた状態の断面図を示す。図２と比較すると明確なように、ヒンジ自体は略９０度ずつ回動するのに対して、スライダリンク１Ａ、１Ｂの回動角度は小さくてすむ。したがって、小型化が可能となる。【００１５】  尚、本実施例によるヒンジモジュールでは、クリック機構３が設けられているので、表示部と操作部が閉じた位置、及び開いた位置においてクリックを発生して回動を停止することができる。【００１６】  図５は本発明によるヒンジモジュールの別の実施例の斜視図を示す。先の実施例においては部分歯車��より２片のスライダリンクを連絡したが、この実施例では一方のスライダリンク１Ａに設けたリンク突起８と他方のスライダリンク１Ｂに設けたＵ字型凹部５Ｃとを係合させることにより、両方のヒンジ軸を規制連絡している。スライダリンク１Ａ、１Ｂのそれぞれは貫通穴を有し、スライダ軸２Ａ、２Ｂを嵌挿することにより回動自在に支持する。このスライダ軸２は、図４に示したのと同様に、スライダリンク１Ａ、１Ｂに隣接してスライダリンクが脱落するのを防止するために設けたスライダリンク保持板４に固定されている。スライダリンク保持板４は、下部においてＬ字状に曲げられ、スライダリンク保持板取付部４Ａにおいてネジ７によりヒンジ基体６に固定されている。【００１７】  前述の実施例においては２片のスライダリンクが部分歯車により応力伝達した部分が、この実施例においては、一方のスライダリンクに設けたリンク突起と他方のスライダリンクに設けたＵ字型凹部が回動且つ摺動自在に係合されているので、前述の実施例の場合と同様に応力伝達することができる。【００１８】  図６及び図７にそれぞれ、ヒンジモジュールを開いた場合と閉じた場合の各部材の位置関係を示した。係合方式は異なるが、前述の実施例の場合と同様の動きとなることがわかる。【００１９】  上述の実施例においては、スライダ軸２Ａ、２Ｂを固定してスライダリンク１Ａ、１Ｂを回動自在に支持した構成を示したが、スライダリンク１Ａ、１Ｂにスライダ軸２Ａ、２Ｂを固定し、スライダリンク保持板４においてスライダ軸が回動自在になるよう支持することもできる。また、スライダリンクと突起との係合構造はＵ字型凹部が最も望ましいが、例えば長穴のように同等の機能を有する他の構成を用いることもできる。
【産業上の利用可能性】
【００２０】    本発明によれば、携帯電話やノートブック型パソコン等の携帯機器用として、小型で構造が単純であっても信頼性の高いヒンジモジュールを提供することができるため、携帯機器分野の小型化やコスト削減に寄与するものである。
【図面の簡単な説明】
【００２１】
【図１】本発明によるヒンジモジュールの第１の実施例要部を示す斜視図である。
【図２】図１に示したヒンジモジュール実施例の開いた状態を示す断面図である。
【図３】図１に示したヒンジモジュール実施例の閉じた状態を示す断面図である。
【図４】図１に示したヒンジモジュール実施例にスライダ保持板を装着した状態を示す斜視図である。
【図５】本発明によるヒンジモジュールの第２の実施例要部を示す斜視図である。
【図６】図５に示したヒンジモジュール実施例の開いた状態を示す断面図である。
【図７】図５に示したヒンジモジュール実施例の閉じた状態を示す断面図である。
【符号の説明】
【００２２】１Ａ          スライダリンク
１Ｂ          スライダリンク
２Ａ          スライダ軸
２Ｂ          スライダ軸
３            クリック機構
４            スライダリンク保持板
４Ａ          スライダリンク保持板取付部
５Ａ          Ｕ字型凹部
５Ｂ          Ｕ字型凹部
５Ｃ          Ｕ字型リンク凹部
６            ヒンジ基体
７            ネジ
８            リンク突起
９Ａ          部分歯車部
９Ｂ          部分歯車部
１１          本体取付部１
１２          第１軸
１３          カム１
１４          突起１
２１          本体取付部２
２２          第２軸
２３          カム２
２４          突起２
【図１】
2008095935.tif 000003
【図２】
2008095935.tif 000004
【図３】
2008095935.tif 000005
【図４】
2008095935.tif 000006
【図５】
2008095935.tif 000007
【図６】
2008095935.tif 000008
【図７】
2008095935.tif 000009